(57)【特許請求の範囲】
【請求項１】
走行機体の幅方向に複数の植付部を並べて配置した植付装置を前記走行機体の後方に昇降自在に連結し、かつ前記走行機体と植付装置の前後方向での間部分に整地装置を配設してなる、移植機において、
粒状肥料用タンクを前記走行機体の後部に配置した粒状施肥装置と、
ペースト肥料用タンクを前記走行機体の前部に配置したペースト施肥装置と、を備え、
前記粒状施肥装置のホースを前記植付部の植付爪ごとに前記走行機体に取付けて、前記粒状肥料用タンクから下方に延出し、ホース先端の施肥吐出部を前記整地装置の前方かつ圃場面の高さよりも上方において前記植付爪の後面視側方に配置し、
前記ペースト施肥装置のホースを前記走行機体から前記植付装置に延出して、該ホース先端に設けられた施肥吐出部を前記植付装置に配置して、幅方向にて前記植付爪の中間位置において圃場面の高さよりも下方に突出させた、
ことを特徴とする移植機。
【発明の詳細な説明】
【技術分野】
【０００１】
本発明は、走行機体と植付装置との間に、圃場面を整地する整地装置を配置した田植機等の移植機に係り、詳しくは粒状肥料を施肥する粒状施肥装置とペースト状肥料を施肥するペースト施肥装置の両施肥装置を備えた移植機に関する。
【背景技術】
【０００２】
従来、ペースト状又は液状等の即効性肥料を施肥する浅層施肥部と、例えば粒状等の緩効性肥料を施肥する深層施肥部とを備えた田植機や湛水直播機等の水田作業機が案出されている（特許文献１）。該水田作業機は、浅層及び深層の両施肥部の施肥部（施肥管）は、共に植付装置のフロートに配置されており、深層用施肥管は、植付け苗の根部下方の深層位置に、浅層用施肥管は、植付け苗の根部の側方浅層部にそれぞれ施肥される。
【０００３】
また、植付装置に、走行機体の後車輪の後部側方近くを耕耘する耕耘装置と、施肥装置とを備え、耕耘装置で耕耘された部分に施肥して、該施肥後の土壌面に苗を植付ける移植機が案出されている（特許文献２）。
【先行技術文献】
【特許文献】
【０００４】
【特許文献１】特許第２６２２５９４号公報
【特許文献２】特開平３−１６８００７号公報
【発明の概要】
【発明が解決しようとする課題】
【０００５】
前記特許文献１のものは、移植機による苗の植付けに際して、即効性肥料と緩効性肥料が同時に施肥され、効率的な水田作業を行うことができるが、ペースト状等の即効性肥料タンクは、走行機体に配置されており、緩効性肥料タンクは、植付装置に配置されており、両肥料タンクから植付装置のフロート部分に導かれ、植付装置部分で施肥される。このため、植付装置に、通常の植付けに係る装置以外に、緩効性（例えば粒状）肥料用タンク及び前記両施肥装置の施肥吐出部（深層用施肥管及び浅層用施肥管）を配置する必要があり、植付装置の構造が複雑で面倒になると共に、移植機の前後バランスが後方重心になり易い。
【０００６】
また、緩効性肥料を植付け苗の根部の下方である深層位置に施肥する必要があり、ガイドにより開溝された圃場中に深層施肥管を入れ、施肥後にフロートにより泥土を均平にしている。このため、植付け作業の抵抗が大きいと共に、硬い圃場では、所定の深層位置に施肥することが困難であり、また深層施肥管の摩耗も激しい。
【０００７】
前記特許文献２のものは、耕耘装置により膨軟した圃場面に、作溝器で作溝しながら施肥するか、又は施肥した部分を耕耘装置で耕耘し、肥料を土壌面に混合させた全層施肥形態として、この状態でフロートで均平にして植付け作業を行うものであり、施肥は、圃場浅層の耕耘部分のみであり、ペースト状及び粒状等の異なる複数の肥料を適正位置に施肥して、効果的な施肥を行うことはできない。
【０００８】
そこで、本発明は、ペースト及び粒状の両施肥装置を走行機体に配置し、粒状肥料を整地装置ですき込み、もって上述した課題を解決した移植機を提供することを目的とするものである。
【課題を解決するための手段】
【０００９】
本発明は、走行機体（５）の幅方向に複数の植付部（１２）を並べて配置した植付装置（１０）を前記走行機体（５）の後方に昇降自在に連結し、かつ前記走行機体（５）と植付装置（１０）の前後方向での間部分に整地装置（２９）を配設してなる、移植機（１）において、
粒状肥料用タンク（２５）を前記走行機体（５）の後部に配置した粒状施肥装置と、
ペースト肥料用タンク（１５）を前記走行機体（５）の前部に配置したペースト施肥装置と、を備え、
前記粒状施肥装置のホース（２６）を前記植付部（１２）の植付爪ごとに前記走行機体（５）に取付けて、前記粒状肥料用タンク（２５）から下方に延出し、ホース先端の施肥吐出部（２６ａ）を前記整地装置（２９）の前方かつ圃場面の高さよりも上方において前記植付爪の後面視側方に配置し、
前記ペースト施肥装置のホース（１９）を前記走行機体（５）から前記植付装置（１０）に延出して、該ホース先端に設けられた施肥吐出部（２１）を前記植付装置（１０）に配置して、幅方向にて前記植付爪の中間位置において圃場面の高さよりも下方に突出させたことを特徴とする。
【００１０】
なお、上記カッコ内の符号は、図面と対照するためのものであるが、これにより特許請求の範囲に記載の構成に何等影響を及ぼすものではない。
【発明の効果】
【００１１】
本発明によると、粒状施肥装置及びペースト施肥装置を備え、苗の生育にあった効果的な施肥作業を行うことができるものでありながら、両施肥装置の肥料用タンクを走行機体に配置したので、植付装置の構造を簡単化することができると共に、移植機の前後バランスを良好に保持することができる。
【００１２】
粒状施肥装置のホースは、走行機体に取付けられてそのままホース先端の施肥吐出部から圃場面に散蒔かれるので、ホースの取り回しがシンプルで安定した施肥が行われると共に、上記施肥吐出部から散蒔かれた粒状肥料は、整地装置によりすき込まれるので、覆土板等の専用の部材を必要としないものでありながら、水による肥料の流亡を防止して、安定した施肥効果を得ることができる。
【図面の簡単な説明】
【００１３】
【図１】本発明を適用した移植機（田植機）の全体を示す側面図。
【図２】施肥部分及び植付部を示す平面図。
【図３】植付け面に対する施肥位置を示す断面図。
【発明を実施するための形態】
【００１４】
以下、図面に沿って、本発明による移植機（田植機）について説明する。移植機１は、図１に示すように、前輪２及び後輪３により支持される走行機体５を有している。走行機体５の前部には、ボンネット６で覆われてエンジンが搭載されており、その後方は運転座席等を有する運転席７になっている。上記走行機体５の後方には、リンク装置９及び油圧装置により昇降自在に植付装置１０が連結されており、植付装置１０は、苗のせ台１１、該苗のせ台上の苗を掻取って田面に植付ける複数のプランタ１２及び田面上を滑走して均平にする複数のフロート１３を備える。
【００１５】
前記ボンネット６の左右における前記走行機体５には、ペースト肥料用タンク１５が配置されており、更に上方に向けて予備苗台１６が設置されている。運転席７部分の走行機体５の下部には、ペースト肥料用ポンプ１７が配置されており、前記ペースト肥料用タンク１５と上記ポンプ１７の吸入口が配管により結ばれている。上記ポンプ１７の複数の吐出口からそれぞれホース１９が植付装置１０に向けて延びており、これら各ホース１９の先端は、前記各フロート１３の中央部に配置された連結管２０に接続しており（図２参照）、更に各連結管２０からフロート１３を貫通してその底面側に延び、走行方向後方に向けて延びている吐出ノズル（施肥吐出部）２１に連結している。上記ペースト肥料用タンク１５、ポンプ１７及びホース１９、連結管２０及びノズル２１がペースト施肥装置を構成する。
【００１６】
前記走行機体５における運転席７の後方には、粒状肥料用タンク２５が配設されている。該タンク２５から、肥料繰出し装置を介して走行機体の幅方向に植付け条数に分岐した各ホース２６が前記走行機体５に取付けられ下方に延びて、後車輪３部分にて田面に向けて粒状肥料を吐出している。上記粒状肥料用タンク２５及び各ホース２６等が粒状施肥装置を構成し、上記各ホース２６の先端２６ａが施肥吐出部を構成する。
【００１７】
前記走行機体５と植付装置１０の間部分に、整地装置２９が配置されている。整地装置２９は、図１及び図２に示すように、機体幅方向に延びるロータ軸３０及び該ロータ軸に複数に分割して固定されているカゴ型の整地ロータ３１を有しており、上記ロータ軸３０を回転自在に支持した支持ロッド３２が植付装置１０に配置された連結アームに連結されている。また、上記ロータ軸３０は、伝動軸３３を介してエンジンからの動力が伝達される。上記整地ロータ３１は、植付装置１０と一体に昇降すると共に、操作レバー（図示せず）により上下動して、作業位置と非作業位置とに選択設定できると共に、上記操作レバーに連動して又は専用の操作レバーによりクラッチを操作して動力伝達状態（回転状態）及び切断状態（非回転状態）に切換え得る。
【００１８】
前記粒状施肥装置の各施肥吐出部（ホース先端）２６ａは、上記整地ロータ３１の走行方向前方に位置し、かつ各プランタ１２により各苗の植付位置（図２のＡ参照）の側方近傍に位置するように配置される。
【００１９】
本実施の形態は、以上のような構成からなるので、移植機１を圃場面で走行しつつ、植付装置１０により苗Ａを田面Ｄに植付ける。この際、ペースト施肥装置のポンプ１７を駆動することにより、ペースト肥料用タンク１５から各ホース１９にペースト状肥料が供給され、更に各フロート１３の中央部で土中に切込まれている吐出ノズル（施肥吐出部）２１からペースト状肥料が土中に施される。
【００２０】
同時に、粒状施肥装置が駆動され、粒状肥料用タンク２５から各ホース２６を通って、その先端（施肥吐出部）２６ａから粒状肥料が吐出される。この際、整地装置２９が作業位置に下降され、かつクラッチが接続されて整地ロータ３１が回転状態にあり、該整地装置２９の走行方向前方のホース先端２６ａから田面Ｄに散蒔かれた粒状肥料は、上記整地ロータ３１の回転により土中にすき込まれる。これにより、粒状肥料は、覆土された状態となり、水により流亡することが防止され、安定した施肥効果を得ることができる。なお、上記整地装置２９は、上記粒状肥料のすき込みだけではなく、植付け面の凹凸を均平に均す本来の機能を当然に有するものであり、該本来の機能に加えて、上記粒状肥料のすき込み効果を奏する。
【００２１】
図２及び図３に示すように、フロート１３の中央部分に配置された吐出ノズル２１から土中に施肥されるペースト肥料Ｂは、フロート１３の左右切欠き部においてプランタ１２により植付けられる苗Ａの条間中央部分において、植付け苗の根部より少し深い部分に連続して（又は間欠的に）施肥される。上記吐出ノズル２１により切割られた跡Ｆは、田面Ｄ（Ｅは水面）の土圧により塞がれる。また、ホース先端２６ａから散蒔かれて、整地装置２９ですき込まれた粒状肥料Ｃは、植付苗Ａの側方部分に連続して施肥される。初期生育効果の大きいペースト肥料Ｂは、植付け苗Ａの根部に吸収され、緩効性の粒状肥料Ｃは、植付け苗Ａの側条に連続して施肥され、一度に効果の高い施肥を行うことができる。
【００２２】
なお、ペースト肥料及び粒状肥料は、苗の育成に最適な効果時期になるものが選ばれ、また施肥位置も上述した実施の形態に限らず、ペースト肥料を植付苗の側条に、粒状肥料を条間に施肥してもよい。
【００２３】
ペースト肥料用タンク１５及びポンプ１７等のペースト施肥装置及び粒状肥料用タンク２５及びホース等のその供給装置からなる粒状施肥装置は、両方とも走行機体５に配置されており、植付装置１０の構造をシンプルかつ軽量化することができる。また、走行機体５にあって、その前部にペースト肥料用タンク１５を配置し、その後部に粒状肥料用タンク２５を配置したので、走行機体５の前後バランスを良好に保つことができる。更に、粒状施肥装置は、肥料用タンク２５から略々真下方向に施肥を案内して吐出すればよく、ホース２６の取り回しが容易となり、肥料詰り等の不具合を減少して安定して供給することができる。
【符号の説明】
【００２４】
１        移植機
５        走行機体
１０      植付装置
１５      ペースト肥料用タンク
１７      ペースト肥料用ポンプ
１９      ホース
２１      施肥吐出部（吐出ノズル）
２５      粒状肥料用タンク
２６      ホース
２６ａ    施肥吐出部（ホース先端）
２９      整地装置
３１      整地ローラ
【図１】
0005773831.tif 000002
【図２】
0005773831.tif 000003
【図３】
0005773831.tif 000004